(57)【要約】【課題】波長１５３０〜１６２５ｎｍの範囲で分散の値が最適値をとり曲げ損失が小さく製造性に優れた光ファイバの開発が望まれていた。【解決手段】波長１５５０ｎｍにおけるコア有効断面積が７０μｍ２以上、波長１５３０ｎｍ以上１６２５ｎｍ以下の波長帯における分散が２．０ｐｓ／ｎｍ／ｋｍ以上で１１．０ｐｓ／ｎｍ／ｋｍ以下、直径２０ｍｍに曲げたときの光伝送損失が１０ｄＢ／ｋｍ以下であり、かつ、２２ｍの長さにおけるカットオフ波長が１３００ｎｍより大きく１５３０ｎｍ以下であることを特徴とする。これにより、波長１５３０〜１６２５ｎｍの範囲で大きなコア有効断面積と小さな分散な値を持つため、非線形効果が小さくＷＤＭの光伝送を可能にする【選択図】        図１
2005003794.tif 000002
【特許請求の範囲】
【請求項１】
波長１５５０ｎｍにおけるコア有効断面積が７０μｍ２以上、波長１５３０ｎｍから１６２５ｎｍの全ての波長帯における分散が２．０ｐｓ／ｎｍ／ｋｍから１１．０ｐｓ／ｎｍ／ｋｍ、直径２０ｍｍに曲げたときの曲げ損失が１０ｄＢ／ｋｍ以下であり、かつ、長さ２２ｍにおけるカットオフ波長が１３００ｎｍより大きく１５３０ｎｍ以下であることを特徴とする光ファイバ。
【請求項２】
長さ２ｍにおけるカットオフ波長が１５００ｎｍより大きく１７００ｎｍ以下であることを特徴とする請求項１に記載の光ファイバ。
【請求項３】
波長１５３０ｎｍから１６２５ｎｍの全ての波長帯における分散が２．６ｐｓ／ｎｍ／ｋｍ以上１０．５ｐｓ／ｎｍ／ｋｍ以下であることを特徴とする請求項１又は請求項２に記載の光ファイバ。
【請求項４】
波長１５５０ｎｍにおける分散勾配が０．０９ｐｓ／ｎｍ２／ｋｍ以下である請求項１ないし請求項３のいずれか１に記載の光ファイバ。
【請求項５】
波長１５３０ｎｍから１６２５ｎｍの全ての波長帯域における光伝送損失が０．３ｄＢ／ｋｍ以下である請求項１ないし請求項４のいずれか１に記載の光ファイバ。
【請求項６】
少なくとも中心に配置されたセンタコアとその外側に配置された第１サイドコアとその外側に配置された第２サイドコアとその外側に配置されたクラッドとからなり、センタコアはクラッドの屈折率よりも屈折率が高く、第２サイドコアは第１サイドコアの屈折率よりも屈折率が高く且つセンタコアの屈折率よりも屈折率が低く構成されていることを特徴とする請求項１ないし請求項５のいずれか１に記載の光ファイバ。
【請求項７】
センターコアの中心軸に位置する最も高い屈折率の比屈折率差がクラッドの屈折率に対して０．７５％以上０．９％以下であることを特徴とする請求項６に記載の光ファイバ。
【請求項８】
センタコアの屈折率分布パラメータ（α）が、３未満であることを特徴とする請求項６または請求項７に記載の光ファイバ。
【請求項９】
第１サイドコア内の最も低い屈折率がクラッドの屈折率よりも低いことを特徴とする請求項６ないし請求項８のいずれか１に記載の光ファイバ。
【請求項１０】
第２サイドコアの最も高い屈折率の比屈折率差がクラッドの屈折率に対して０．４％以下であることを特徴とする請求項６ないし請求項９のいずれか１に記載の光ファイバ。
【請求項１１】
請求項１ないし請求項１０のいずれか１に記載の光ファイバに、１５３０〜１６２５ｎｍの全ての波長帯域で負の分散と負の分散勾配を有する分散補償光ファイバが接続されて構成されたことを特徴とする光伝送線路。
【発明の詳細な説明】
【０００１】
【発明の属する技術分野】
本発明は光通信システムの構築に用いられる光ファイバとそれを用いた光伝送線路に関し、波長分割多重（ＷＤＭ）光伝送方式のシステム構築に好適なものに係る。
【０００２】
【従来の技術】
情報化社会の発展により、通信情報量は飛躍的に増大する傾向にあり、そのことに伴って、光伝送方式では光伝送容量を増大させるための研究が活発に行われている。
【０００３】
この際、光伝送線路となる光ファイバは、使用波長において、その光信号をシングルモードで伝送できることが必要とされる。複数のモードが光ファイバ内を伝搬すると、各伝搬モードごとの群速度の差により不可避的にモード分散が発生し、信号波形の劣化を招くからである。
【０００４】
このようなことから、まず波長１３００ｎｍ付近に雰分散波長を有するシングルモードファイバ（Ｓｉｎｇｌｅ  Ｍｏｄｅ  Ｆｉｂｅｒ：ＳＭＦ）が光伝送線路として使用された。このＳＭＦを用いると、波長１３００ｎｍ付近では、光伝送の距離を１００ｋｍ以上にすることができ、しかも光伝送容量を数百Ｍｂｐｓにすることが可能になった。
【０００５】
一方、光ファイバの光伝送損失は、波長１５５０ｎｍ付近で最も小さくなる。そのため、光伝送損失の関係では、１５５０ｎｍ帯域で光伝送をすることが好ましいことになる。
【０００６】
このような要求に応える光ファイバとして、波長１５５０ｎｍ付近に雰分散波長を持つ分散シフトファイバ（Ｄｉｓｐｅｒｓｉｏｎ  Ｓｈｉｆｔｅｄ  Ｆｉｂｅｒ：ＤＳＦ）が開発された。このＤＳＦは、その断面における屈折率プロファイルが段階型になっているものである。このＤＳＦの開発により、現在では、波長１５５０ｎｍ付近において、光伝送容量を数Ｇｂｐｓにすることが可能になった。
【０００７】
また、最近では、光伝送容量の更なる増大を目的として、１本の光ファイバに複数の波長の光信号を伝送させる波長分割多重（Ｗａｖｅｌｅｎｇｔｈ  Ｄｉｖｉｓｉｏｎ  Ｍｕｌｔｉｐｌｅｘｉｎｇ：ＷＤＭ）による光伝送方式の研究が進められている。
【０００８】
このＷＤＭ光伝送方式で用いられる光ファイバには次のような特性が要求される。
まず、非線形現象の１つである例えば四光波混合（Ｆｏｕｒ  Ｗａｖｅ  Ｍｉｘｉｎｇ：ＦＷＭ）の発生を防止するため、使用波長帯域に雰分散波長が存在しないという特性である。
【０００９】
このような要求に応える光ファイバとして、使用波長帯域で雰分散波長を持たないノンゼロ分散シフトファイバ（Ｎｏｎ−Ｚｅｒｏ  Ｄｉｓｐｅｒｓｉｏｎ  Ｓｈｉｆｔｅｄ  Ｆｉｂｅｒ：ＮＺＤＳＦ）が開発されている。そして、このＮＺＤＳＦを用いると、ＦＷＭは殆ど起こらないので、現在では、ＷＤＭ光伝送方式における最適の光ファイバとして評価されている。
【００１０】
また、分散が大きいと信号波形の劣化が生ずるので、分散が小さいことも、ＷＤＭ光伝送方式で用いる光ファイバにとっては重要な特性である。
【００１１】
更には、光ファイバに高パワーを導入すると、自己位相変調や相互位相変調のような非線形現象が起こり易くなる。それを抑制するために、光ファイバのモードフィール径（Ｍｏｄｅ  Ｆｉｅｌｄ  Ｄｉａｍｅｔｅｒ：ＭＦＤ）が大きいことも要求される。
【００１２】
しかし、非線形効果を抑制するためにＭＦＤを大きくした場合、光ファイバを曲げたときに生じる曲げ損失が大きくなる傾向にある。光ファイバはケーブル化されたときにねじりによる曲がりを受けたり、ケーブル内で側圧を受けたりする。このため、ケーブルの製造の観点からは曲げに対して光伝送損失が増加しないことが非常に重要である。
【００１３】
また、ＭＦＤを大きくした場合には、分散の傾き（分散勾配）が大きくなる傾向もある。分散勾配が大きいと使用波長帯の上限の波長と下限の波長との分散の偏差が大きくなり、使用波長帯や伝送距離に制約を受けることがあった。
【００１４】
このような背景から、過去においていくつかの特許出願がなされている（例えば特許文献１〜３）。
【００１５】
【特許文献１】
米国特許第６３９６９８７号
【特許文献２】
米国特許第６３０１４２２号
【特許文献３】
米国特許第６４９３４９５号
【００１６】
特許文献１では、波長１５５０ｎｍにおける分散が６ｐｓ／ｎｍ／ｋｍ以上で１０ｐｓ／ｎｍ／ｋｍ以下、分散勾配の絶対値が０．０７ｐｓ／ｎｍ２／ｋｍ以下、コア有効断面積が６０μｍ２以上の光ファイバが開示されている。
【００１７】
また、特許文献２では、１５００ｎｍ以上の波長領域でコア有効断面積が７０μｍ２以上、分散勾配が０．０９ｐｓ／ｎｍ２／ｋｍ以下である光ファイバが開示されている。
【００１８】
また、特許文献３では、１５５０ｎｍにおけるコア有効断面積が７０μｍ２以上、分散勾配が０．０９ｐｓ／ｎｍ２／ｋｍ以下でカットオフ波長が１５６４〜１６２８ｎｍにあるファイバが開示されている。
【００１９】
【発明が解決しようとする課題】
特許文献１の場合、分散勾配が０．０７ｐｓ／ｎｍ２／ｋｍ以下のため、広い波長帯域で使用することが可能である。しかし、コア有効断面積が６０μｍ２以上となっているため、特許文献２に対して非線形効果を起こし易い。逆に特許文献２は前者に比べて、分散勾配が大きいため、広い波長範囲で使用することは困難である。
【００２０】
また、特許文献３では、零分散波長の値に関しては記述があるものの特定の波長での分散値と曲げ損失に関する記述はない。
【００２１】
特許文献２では、特に分散とカットオフ波長の値については、最も大きな値が１３００ｎｍであるが２２ｍにおけるカットオフ波長を１３００ｎｍより大きすることの思想がない。また、特許文献３では、零分散波長の位置に関しては記述があるものの特定の波長での分散値と曲げ損失には記述がない。
【００２２】
このように、光ファイバの構造の設計は、分散、分散勾配、ＭＦＤ、曲げ損失などのバランスを考慮して、目的にあった屈折率プロファイルを選択することが重要である。
【００２３】
そこで、波長１５３０〜１６２５ｎｍの範囲で分散が最適な値をとるように、１５５０ｎｍでの分散を４ｐｓ／ｎｍ／ｋｍ程度、零分散波長を１５００ｎｍ以下にした光ファイバは、本発明者らが詳細に調査したところ、ケーブル化に耐えうる曲げ損失を得ることができる屈折率プロファイルの範囲が非常に狭く、製造に適しているとは言い難いことがわかった。
【００２４】
本発明は、１５５０ｎｍでのコア有効断面積が７０μｍ２以上で波長１５３０〜１６２５ｎｍの範囲で分散の値が最適値をとり曲げ損失が小さく製造性に優れた光ファイバを提供することを目的とする。
【００２５】
【課題を解決するための手段】
上記した目的を達成するために、本発明においては、波長１５５０ｎｍにおけるコア有効断面積が７０μｍ２以上、波長１５３０ｎｍ以上１６２５ｎｍ以下の波長帯における分散が２．０ｐｓ／ｎｍ／ｋｍ以上で１１．０ｐｓ／ｎｍ／ｋｍ以下、直径２０ｍｍに曲げたときの光伝送損失が１０ｄＢ／ｋｍ以下であり、かつ、２２ｍの長さにおけるカットオフ波長が１３００ｎｍより大きく１５３０ｎｍ以下であることを特徴とする光ファイバが提供される。
【００２６】
また、光ファイバ長が２ｍにおけるカットオフ波長は１５００ｎｍより大きく１７００ｎｍ以下であることを特徴とする。
【００２７】
さらに、１５３０ｎｍ以上１６２５ｎｍ以下の全ての波長帯において分散が２．６ｐｓ／ｎｍ／ｋｍ以上１０．５ｐｓ／ｎｍ／ｋｍ以下であることが望ましい。
このときの、波長１５５０ｎｍにおける分散勾配は０．０９ｐｓ／ｎｍ２／ｋｍ以下である。
さらに、１５３０ｎｍ以上１６２５ｎｍ以下の波長帯域における光伝送損失は０．３ｄＢ／ｋｍ以下である。
【００２８】
これらの特性を得るためには、光ファイバは、その軸心に配置されたセンタコアとその外側に配置された第１サイドコアとその外側に配置された第２サイドコアとその外側に配置されたクラッドの構造を有し、且つセンタコアはクラッドの屈折率よりも屈折率が高く、第２サイドコアは第１サイドコアの屈折率よりも屈折率が高く且つセンタコアの屈折率よりも屈折率が低く構成されていることを特徴とする。
【００２９】
それらの領域のうち、センターコアは、その最も屈折率の高い部分の比屈折率差がクラッドの屈折率に対して０．７５％以上で０．９％以下である。また、第１サイドコアは、その最も屈折率の低い部分の比屈折率がクラッドの屈折率に対して負であることを特徴とする。さらに、第２サイドコアは、その最も屈折率の高い部分の比屈折率差が前記クラッドの屈折率に対して０．４％以下であることを特徴とする。また、センターコアの屈折率分布パラメータ（α）は、３未満であることを特徴とする。
【００３０】
更に本発明においては、上記した光ファイバのいずれかを含む光伝送路に、１５３０〜１６２５ｎｍの波長帯域で負の分散と負の分散勾配を有する分散補償ファイバが接続されていることを特徴とする光伝送システムが提供される。
【００３１】
【発明の実施の形態】
シングルモード光ファイバに重要な特性の一つに、カットオフ波長がある。このカットオフ波長より長波長側の光信号は、光ファイバ中を１つのモードでのみ伝搬し、モード毎に伝搬速度が異なることにより発生する光信号の劣化はなくなる。このため、カットオフ波長は光ファイバの使用波長帯より小さい値をとる必要がある。
【００３２】
光ファイバの曲げ損失とカットオフ波長は相互に関係があり、一般には曲げ損失が小さい光ファイバはカットオフ波長が大きい傾向にある。また、カットオフ波長は測定する光ファイバの測定長に依存し、測定長が長くなると値が小さくなる傾向にある。通常のカットオフ波長の測定は２ｍの光ファイバで行われる。しかし、実際の線路はこれよりも長いため、２ｍの光ファイバの測定値が使用波長帯の値より大きくても、使用波長帯で実質的にシングルモード動作をすれば使用上問題はない。
【００３３】
コア有効断面積が大きい光ファイバは、分散勾配が大きくなるので、広い波長帯でのＷＤＭによる光伝送が難しくなる。このため、特定の波長領域に絞って最適化を行えば、製造の容易さおよび歩留まりの良い光ファイバが得られるはずである。
【００３４】
具体的に述べると、前記特許文献２に開示されているようなＭＦＤが大きく１５５０ｎｍ付近の分散が０でなく小さな値を持つ光ファイバでは、波長１３００ｎｍでの分散値の絶対値は大きくなり、１３００ｎｍ帯を使用した長距離の光伝送には適さない。また、波長１４６０〜１５３０ｎｍのＳバンド帯には零分散波長が存在するため、ＷＤＭの光伝送には不適である。このため、実用的な使用波長帯は１５３０ｎｍ以上で１６２５ｎｍ以下のＣバンドおよびＬバンドとなる。したがって、これらの波長域で実質的にシングルモード動作がてきる上限までカットオフ波長を大きくすれば、曲げ損失が小さくＭＦＤが大きい光ファイバを得ることができる。
【００３５】
この点を念頭に置いて、本発明者らは、開発目標の光ファイバに関しては以下のような特性目標を設定した。
【００３６】
（１）まず、非線形効果を抑制するために、波長１５５０ｎｍにおけるコア有効断面積を最低でも７０μｍ２にすること。
【００３７】
（２）次に分散に関しては、波長１５３０ｎｍ〜１６２５ｎｍの範囲でＷＤＭの光伝送をするためには、この波長範囲が０でない小さな分散を持つ必要がある。具体的には２．０ｐｓ／ｎｍ／ｋｍ以上１１．０ｐｓ／ｎｍ／ｋｍ以下であることが必要で、２．６ｐｓ／ｎｍ／ｋｍ以上１０．５ｐｓ／ｎｍ／ｋｍ以下であることがより好ましい。また、この分散の値から波長１５５０ｎｍにおける分散勾配は０．０９ｐｓ／ｎｍ２／ｋｍ以下に制限される。
【００３８】
（３）曲げ損失は直径２０ｍｍの径に巻き付けたときに、１０ｄＢ／ｍ以下であることが必要である。好ましくは５ｄＢ／ｍ以下、より好ましくは２ｄＢ／ｍ以下である。これは、光ファイバをケーブル化したときや、敷設時あるいは敷設後に掛かる側圧による光伝送損失の増加、もしくは機器の中で光ファイバを小さい半径で取り回したときの光伝送損失の増加を防ぐために重要な規格である。
【００３９】
（４）カットオフ波長については、使用波長帯において光ファイバ中を伝搬する光信号がシングルモード動作をする必要があるため、１５３０ｎｍ以下でなければならない。しかし、前述したように、カットオフ波長には条長依存性がある。図４は本発明の光ファイバに対してカットオフ波長の条長依存性を調査したものである。光ファイバ長２２ｍにおける測定値は２ｍの測定値に対して約２００ｎｍ小さくなる傾向にある。実際の線路ではさらに長い距離を光伝送するので、実際のファイバのカットオフ波長は更に小さくなるはずである。しかし、実際の光伝送線路の長さは様々であるので、２２ｍでの値で代表させることにする。このため、本発明では、このデータから光ファイバ長２ｍで測定したカットオフ波長の上限を、若干の余裕を見て１７００ｎｍと考えることができる。
【００４０】
（５）カットオフ波長の下限については、曲げ損失の関係から制約を受ける。図５は、波長１５５０ｎｍでのコア有効断面積が７０μｍ２以上、かつ分散が４ｐｓ／ｎｍ／ｋｍ以上で５ｐｓ／ｎｍ／ｋｍ以下の特性を持つ場合の、２ｍのファイバで測定したカットオフ波長と曲げ損失の関係を計算で求めたものである。若干のばらつきはあるものの、曲げ損失を１０ｄＢ／ｍ以下に抑えるにはカットオフ波長を１５００ｎｍより大きな値にする必要がある。これは光ファイバ長２２ｍでの値に換算すると１３００ｎｍより大きいことになる。
【００４１】
（６）光伝送損失については、他のファイバと同様に１５３０ｎｍ以上１６２５ｎｍ以下の波長帯域における光伝送損失が０．３ｄＢ／ｋｍ以下であることが必要である
【００４２】
本発明者らは、このような観点から上記した目標特性を満たすべく、その他の諸特性を考察し、その上で、屈折率プロファイルを探索し、図１で示したようなプロファイルが好適であることを見出した。
【００４３】
図１に示す屈折率プロファイルＡは、センターコア１とその外側に円環形状に配置された第１サイドコア２と、その外側に円環形状に配置された第２サイドコア３、さらにその外側に円環形状に配置されたクラッド６を有している。そして、センターコア１のクラッド６に対する比屈折率差と、第１サイドコア２のクラッド６に対する比屈折率差、第２サイドコア３のクラッド６に対する比屈折率差は、それぞれ、Δ１（％）、Δ２（％）、Δ３（％）に、半径はｒ１（μｍ）、ｒ２（μｍ）、ｒ３（μｍ）なっている。
【００４４】
ここで、ｒ１、ｒ２は屈折率プロファイルのセンターコアと第１サイドコアをつなぐ線、第１サイドコアと第２サイドコアをつなぐ線のそれぞれがクラッドの屈折率と等しくなる点の位置で定義する。また、ｒ３は第２サイドコアの最大値より外側の部分で屈折率プロファイルの傾きが最も大きい部分の接線がクラッドの屈折率と等しくなる点の位置で定義する。
ただし、図２のように第２サイドコア３に隣接した部分にクラッド６より屈折率の低いトレンチ層５が存在する場合は、ｒ１と同様に第２サイドコア３とトレンチ層５をつなぐ線がクラッド６の屈折率と等しくなる点をｒ３とする。
【００４５】
これらのプロファイルにおいて、屈折率分布パラメータαの値は小さく設定されていることが好ましい。より好ましい範囲は３未満である。本発明のような光ファイバの場合、コア有効断面積を大きくするために、センターコアの光の閉じ込めを弱くして、センターコアの外に漏れる光を第２サイドコアで広げるようにする。屈折率分布パラメータαが大きい場合、コアの閉じ込め効果が強くなるので、コア有効断面積が小さくなる傾向がある。このため、屈折率分布パラメータαは小さい方が望ましい。
【００４６】
上記したΔ１値は０．７５％以上０．９％以下に設定されていることが好ましい。より好ましい範囲は、０．８％以上０．８５％以下である。一般に、このΔ１値を大きくすると、分散とコア有効断面積が小さくなり、逆にΔ１値を小さくすると、コア有効断面積は大きくなるが分散も大きくなり、適正な値にならなくなる。コア有効断面積と分散に関する前記した設計目標を同時に満たすためには、Δ１値は上記範囲内にあることが好ましい。
【００４７】
また、Δ３が大きくなると、分散と分散勾配が大きくなり、所望の分散の範囲に収まらなくなる傾向がある。このため、Δ３は０．４％以下に制限される。
【００４８】
さらに、Δ２に関しては、負であること、望ましくは−０．０５％以下である必要がある。これ以上であると、カットオフ波長が大きくなり、使用波長帯でシングルモード動作をしなくなることがある。
【００４９】
本発明のファイバでは、１５５０ｎｍにおけるコア有効断面積は７０μｍ２以上に設定されるため、曲げ損失が小さく非線形現象の発現が抑制できる。そして、１５３０ｎｍでの分散が２．６ｐｓ／ｎｍ／ｋｍ以上、１６２５ｎｍでの分散が１０．５ｐｓ／ｎｍ／ｋｍ以下であるため、ＣバンドおよびＬバンドでＦＷＭが抑制できると共にＤＷＭ光伝送に適したファイバが提供できる。
【００５０】
以上の特性は、図１で示した屈折率分布のプロファイルにおいて、基本的には、中心のセンターコア１と第１サイドコア２、第２サイドコア３の形状とそれら３つの層の外径にあたる２ｒ３で規定されている。
【００５１】
したがって、本発明の光ファイバにおける屈折率分布のプロファイルは、図１で示したものに限定されるわけではなく、上記した特性を発現するものであれば、例えば図２に示す屈折率プロファイル、図３に示す屈折率プロファイルであってもよい。図３の屈折率プロファイルは、図１に示す構造のクラッド６の中にトレンチ層５を持つものが示されている。
【００５２】
しかしながら、光ファイバは、プロファイル構造が簡単であり、その製造も容易で製造歩留を高くできるという点で、図１で示したプロファイルであることが好ましい。
【００５３】
本発明の光ファイバは、例えばＶＡＤ法やＭＣＶＤ法で光ファイバ母材を製造し、それを透明ガラス化したのち線引きして製造することができる。
【００５４】
また、本発明の光ファイバは波長１５３０〜１６２５ｎｍの帯域で正の分散勾配を有しているが、この光ファイバで構築した光伝送線路に、負の分散勾配を有する分散補償器を接続することにより、分散補償線路を構成することができる。
【００５５】
【実施例】
図１〜３で示した屈折率プロファイル（Ａ）〜（Ｃ）（実施例１〜３）を有する各種の光ファイバを製造し、その特性を調査した。屈折率プロファイルの構造パラメータとその特性とを、比較例１〜５とともに一括して以下の表１に示した。
【００５６】
【表１】
2005003794.tif 000003
【００５７】
ここで、カットオフ波長は光ファイバ長２ｍでの測定値である。なお、実施例２は、表１に示す構造パラメータを持つ屈折率プロファイル（Ａ）の外側に比屈折率差−０．１％、半径１３．４μｍのトレンチを設けた図２の屈折率プロファイル（Ｂ）の構造を持つもので、実施例３は、表１に示す構造パラメータを持つ屈折率プロファイル（Ａ）のクラッド内に比屈折率差−０．０５％、半径１３．１μｍから２０．６μｍの間にトレンチを設けた図３の屈折率プロファイル（Ｃ）の構造を持つものである。
【００５８】
表１から明らかなように、実施例１〜３の光ファイバは、いずれも、ＷＤＭの光伝送方式で使用可能な特性を備えているが、比較例１〜５の光ファイバは下記の点で各実施例に比べて劣っている。
【００５９】
屈折率分布パラメータα値が大きい比較例１は、分散はほぼ所望の値であるものの、コア有効断面積が６６．６μｍ２と小さく非線形効果を起こしやすい。Δ１値が大きい比較例２は、コア有効断面積が比較例１同様に小さく、さらに分散の値が小さいため、四光波混合を起こす可能性が高い。比較例３はΔ１値が小さいために、分散が大きく信号波形の劣化が大きい。比較例４はΔ２が０であるために、カットオフ波長が大きく測定不能となった。このため、使用波長帯でシングルモード光伝送ができない。さらに、比較例５はΔ３が大きいため分散と分散勾配が大きく、信号の劣化が大きい。
【００６０】
次ぎに、実施例１の光ファイバと、図６で示す負の分散と負の分散勾配とを有する分散補償光ファイバを接続した光伝送線路を構成した。後者の光ファイバ長は、前者の光ファイバ長の１／２５である。
【００６１】
これにより得られた光伝送線路の分散特性を図７に示す。図６から明らかなように、１５３０〜１６２５ｎｍの波長帯域で、残留する分散は−１．５〜１．５ｐｓ／ｎｍ／ｋｍの範囲にあり、形成された光伝送線路では実施例１の光ファイバ単体に比べて分散の絶対値を小さくすることができる。
【００６２】
【発明の効果】
以上の説明で明らかなように、本発明の光ファイバは、波長１５３０〜１６２５ｎｍの範囲で大きなコア有効断面積と小さな分散な値を持つため、非線形効果が小さくＷＤＭの光伝送を可能にする優れた特性を備えている。
【００６３】
従って、前記光ファイバと分散補償光ファイバとを縦続接続して構成した光伝送線路は非線形効果が優れ、光伝送容量の大きな光伝送システムの構築に貢献することができる。
【図面の簡単な説明】
【図１】本発明の第１の実施例における屈折率プロファイル。
【図２】本発明の第２の実施例における屈折率プロファイル。
【図３】本発明の第３の実施例における屈折率プロファイル。
【図４】３種の光ファイバの光ファイバ長に対するカットオフ波長を示す特性図。
【図５】光ファイバ長２ｍのカットオフ波長と曲げ損失の関係を示す特性図。
【図６】本発明で用いられる分散補償光ファイバの波長に対する分散の特性図。
【図７】本発明の第１実施例と、それを用いて構成された光伝送線路との波長に対する分散を示す特性図。
【符号の説明】
１    センターコア
２    第１サイドコア
３    第２サイドコア
４    クラッド
５    トレンチ層
６    クラッド
【図１】
2005003794.tif 000004
【図２】
2005003794.tif 000005
【図３】
2005003794.tif 000006
【図４】
2005003794.tif 000007
【図５】
2005003794.tif 000008
【図６】
2005003794.tif 000009
【図７】
2005003794.tif 000010